(57)【特許請求の範囲】
【請求項１】
床に形成された排水枡へ裏面に設けた脚部が載置されて前記排水枡の開口面を覆うと共に、外周部から排水枡内へ排水を流入させる導水部が形成された蓋体と、
前記蓋体の裏面に形成された傾斜面と、
を有し、
前記蓋体は矩形状であり、隣り合う前記傾斜面が稜線を形成する、
排水蓋。
【請求項２】
前記稜線は、前記蓋体の対角線上にある、
請求項１に記載の排水蓋。
【請求項３】
床に形成された排水枡へ裏面に設けた脚部が載置されて前記排水枡の開口面を覆うと共に、外周部から排水枡内へ排水を流入させる導水部が形成された蓋体と、
前記蓋体の裏面に形成された傾斜面と、
を有し、
前記傾斜面は、前記蓋体の中心部に向かって傾斜する下り傾斜面である、
排水蓋。
【請求項４】
床に形成された排水枡へ裏面に設けた脚部が載置されて前記排水枡の開口面を覆うと共に、外周部から排水枡内へ排水を流入させる導水部が形成された蓋体と、
前記蓋体の裏面に形成された傾斜面と、
を有し、
前記蓋体の裏面に形成され、中心部から外周部へ向かって下り傾斜するリブと、
前記リブの端部に設けられ、前記排水枡に載置される補助脚部と、
をさらに有する、
排水蓋。
【請求項５】
前記リブは矩形状の前記蓋体の各辺の中心部へ延びる十字形状である、
請求項４に記載の排水蓋。
【請求項６】
前記リブの外周面は弧状となっている、
請求項４又は請求項５に記載の排水蓋。
【請求項７】
前記蓋体の上面には、中心部から外周部に向かって下り傾斜面が形成されている、
請求項１〜６の何れか１項に記載の排水蓋。
【発明の詳細な説明】
【技術分野】
【０００１】
本発明は、排水蓋に関する。
【背景技術】
【０００２】
従来、排水口が異物によって詰まるのを防止するため、浴室等の床に形成された排水枡の開口面は排水蓋で覆われる。また、このような排水蓋では、裏面に複数の補強リブが設けられている（例えば、特許文献１）。
【０００３】
しかしながら、複数の補強リブによって囲まれた空間に空気が滞留すると、排水枡へ排水が流されたとき、滞留した空気が排出されずに排水蓋が浮き上がる。また、補強リブの周辺は水切れが悪く、排水蓋が汚れやすい。
【先行技術文献】
【特許文献】
【０００４】
【特許文献１】特開２０００−８４３５
【発明の概要】
【発明が解決しようとする課題】
【０００５】
本発明は上記事項を考慮し、排水蓋の水切れを向上させることを目的とする。
【課題を解決するための手段】
【０００６】
請求項１に記載の排水蓋は、床に形成された排水枡へ裏面に設けた脚部が載置されて前記排水枡の開口面を覆うと共に、外周部から排水枡内へ排水を流入させる導水部が形成された蓋体と、前記蓋体の裏面に形成された傾斜面と、を有し、前記蓋体は矩形状であり、隣り合う前記傾斜面が稜線を形成する。
【０００７】
請求項１に記載の排水蓋では、蓋体の裏面に傾斜面が形成されているので、排水が蓋体の外周部から排水枡内へ流入したとき、排水蓋の裏面に付着した排水は、斜面部に沿って排水蓋の裏面の一箇所に集められるので、排水蓋の水切れを向上させ、排水蓋を清潔に保つことができる。
【０００８】
また、排水枡内の空気は、蓋体の裏面に滞留することなく傾斜面に沿って外へ排出される。これにより、排水蓋が浮き上がるのを抑制できる。
【００１０】
さらに、請求項１に記載の排水蓋では、傾斜面に付着した排水が稜線に集まり、稜線を伝って蓋体の裏面の一箇所に集められるので、排水蓋の水切れが向上する。
請求項２に記載の排水蓋は、前記稜線は、前記蓋体の対角線上にある。
請求項２に記載の排水蓋では、対角線上に稜線が形成されているので、排水蓋の剛性が向上する。
【００１１】
請求項３に記載の排水蓋は、床に形成された排水枡へ裏面に設けた脚部が載置されて前記排水枡の開口面を覆うと共に、外周部から排水枡内へ排水を流入させる導水部が形成された蓋体と、前記蓋体の裏面に形成された傾斜面と、を有し、前記傾斜面は、前記蓋体の中心部に向かって傾斜する下り傾斜面である。
【００１２】
請求項３に記載の排水蓋では、蓋体の裏面に形成された傾斜面が蓋体の中心部に向かって傾斜しているので、排水蓋の裏面に付着した排水を効率よく集めることができる。
【００１５】
請求項４に記載の排水蓋は、床に形成された排水枡へ裏面に設けた脚部が載置されて前記排水枡の開口面を覆うと共に、外周部から排水枡内へ排水を流入させる導水部が形成された蓋体と、前記蓋体の裏面に形成された傾斜面と、を有し、前記蓋体の裏面に形成され、中心部から外周部へ向かって下り傾斜するリブと、前記リブの端部に設けられ、前記排水枡に載置される補助脚部と、をさらに有する。
【００１６】
請求項４に記載の排水蓋では、リブが蓋本体の中心部から外周部へ向かって下り傾斜しているので、裏面の稜線を伝って排水蓋の裏面の中心部へ集められた排水は、リブに沿って蓋体の外周部へ流れ、さらにリブの端部に設けられた補助脚部を伝って排水枡へ流れる。これにより、落水させるより排水蓋の水切れが向上し、排水蓋を清潔に保つことができる。
【００１７】
請求項５に記載の排水蓋は、前記リブは矩形状の前記蓋体の各辺の中心部へ延びる十字形状である。
【００１８】
請求項５に記載の排水蓋では、リブは十字形状であるため、蓋体の裏面の空気がリブに遮られることなく、排水枡の外へ排出される。また、リブは蓋体の各辺の中心部へ延びているので、排水蓋の剛性が向上する。
【００１９】
請求項６に記載の排水蓋は、前記リブの外周面は弧状となっている。
【００２０】
請求項６に記載の排水蓋では、リブの外周面は弧状となっており、リブに付着した排水が留まりにくく、また、清掃しやすい。
【００２１】
請求項７に記載の排水蓋は、前記蓋体の上面には、中心部から外周部に向かって下り傾斜面が形成されている。
【００２２】
請求項７に記載の排水蓋では、排水蓋の上面に付着した排水は、下り傾斜面を流れて蓋体の裏面に回り込み、排水蓋の裏面の中心部に集められるので、排水蓋の上面の水切れが向上する。
【発明の効果】
【００２３】
本発明は、上記の構成としたので、排水蓋の水切れが向上する。
【図面の簡単な説明】
【００２４】
【図１】第１実施形態に係る排水蓋と浴室に形成された排水枡との関係を示す斜視図である。
【図２】第１実施形態に係る排水蓋が排水枡に載置された状態を示す一部断面図である。
【図３】第１実施形態に係る排水蓋の斜視図である。
【図４】第１実施形態に係る排水蓋の裏面側から見た斜視図である。
【図５】第１実施形態に係る排水蓋から排水枡へ流入した排水の流れを示す説明図である。
【図６】第１実施形態に係る排水蓋が排水枡に載置された状態を示す図４のＡ−Ａ断面図である。
【図７】第１実施形態に係る排水蓋が排水枡に載置された状態を示す図４のＢ−Ｂ断面図である。
【発明を実施するための形態】
【００２５】
本発明の第１実施形態に係る排水蓋１０について説明する。図１に示すように、浴室１００は、洗い場１０２と浴槽１０４で構成されており、洗い場１０２の床面は床１０２Ａで形成されている。床１０２Ａには、浴槽１０４と洗い場１０２との境界近傍に凹状の排水枡１０６が形成されている。
【００２６】
排水枡１０６の底部の中心部には、排水口１０８が形成されており、床１０２Ａから排水枡１０６内に流れ込んだ排水は、排水口１０８から図示しない排水管を通って下水へ流される。また、排水口１０８に形成された段差部１０８Ａには、毛髪等を捕集するヘアキャッチャー１１０が支持されている（図２参照）。
【００２７】
排水枡１０６の底部には、排水枡１０６の開口面を覆うように排水蓋１０が載置される。このとき、排水蓋１０の蓋体１４の裏面に形成された複数の脚部１２及び補助脚部２２が排水枡１０６の底部に載置される。
【００２８】
また、排水枡１０６の浴槽１０４側の側壁の上部には、床１０２Ａの上面から略半円柱状に凹んだ指掛け部１１２が形成されており、指掛け部１１２に指を掛けて排水枡１０６の底部に載置された排水蓋１０が取外される。
【００２９】
図２に示すように、排水枡１０６の底部は排水口１０８に向かって緩やかに下り傾斜になっている。排水口１０８の周辺には段差部１０８Ａが形成されている。段差部１０８Ａには、ヘアキャッチャー１１０の外周部に形成されたフランジ部１１０Ａが載せられ、ヘアキャッチャー１１０の上面と排水口１０８の開口縁部が同一高さとなっている。また、ヘアキャッチャー１１０には排水を通水させる多数の通水孔１１６が形成されている。
【００３０】
さらに、蓋体１４の上面の外周部と床１０２Ａとは同じ高さとなっており、蓋体１４の上面の中心部は、床１０２Ａより高く形成され、中心部から外周部へ向かって矢印方向に下り傾斜面が形成されている。また、蓋体１４の外形は、蓋体１４と排水枡１０６の開口縁部１０６Ａとの間に隙間が生じる大きさとされている。
【００３１】
さらに蓋体１４をさらに詳しく説明すると、図３に示すように、蓋体１４は長方形の平板部材であり、ＡＢＳ樹脂等の合成樹脂で形成されている。これにより、蓋体１４の表面は、撥水特性を備え、付着した排水が水滴となりやすくなっている。蓋体１４の上面の中心部には、蓋体１４の４つの角部から中心部に向かう４本の溝１８Ａによって菱形の領域１４Ａが形成されており、領域１４Ａの蓋体１４の短辺の中心線ＣＬ上には、稜線１５が形成されている。領域１４Ａは、稜線１５を頂部として下り傾斜面となっている。
【００３２】
また、蓋体１４の上面の短辺側には、上述した溝１８Ａと蓋体１４の短辺によって三角形の領域１４Ｂが形成されている。さらに、蓋体１４の上面の長辺側には、上述した溝１８Ａ及び、長辺の中心部から領域１４Ａに向かって形成された溝１８Ｂによって、台形状の領域１４Ｃがそれぞれの長辺側に２つずつ形成されている。領域１４Ｂ及び１４Ｃは、蓋体１４の外周部へ向かって下り傾斜面となっている。
【００３３】
図４に示すように、蓋体１４の裏面１４Ｄは、蓋体１４の外周部から中心部に向かって下り傾斜している（図６参照）。また、対角線上には稜線２６が形成されている。さらに、この稜線２６を境にしてそれぞれの傾斜面が蓋体１４の外周部に向かって下り傾斜している。
【００３４】
蓋体１４の裏面１４Ｄの角部には、円柱状の脚部１２が下方へ突出して形成されている。また、それぞれの脚部１２の外周部には、蓋体１４へ連結される脚部補強リブ１２Ａが形成されている。
【００３５】
さらに、蓋体１４の裏面１４Ｄには、蓋体１４の中心部から蓋体１４の各辺の中心部へ延びた十字形状の蓋体補強リブ２４が形成されている。蓋体補強リブ２４は、蓋体１４の中心部から各辺の中心部に向かって下り傾斜しており、蓋体補強リブ２４の外周面は弧状となっており、清掃しやすくなっている。また、蓋体補強リブ２４の外周面が弧状となっているので、蓋体補強リブ２４に付着した排水は、蓋体補強リブ２４の最下点へ集まり、水滴になりやすい。このため、角を面取りしただけのリブよりも排水が滞留しにくい。
【００３６】
また、蓋体補強リブ２４の端部には、円柱状の補助脚部２２が形成されている。補助脚部２２は、脚部１２と同じ高さであり、補助脚部２２の外周部には、蓋体１４へ連結される補助脚部補強リブ２２Ａが形成されている。
【００３７】
図３及び図４示すように、蓋体１４の外周部は角が取られて丸みを帯びており、４辺には蓋体１４の外周部を内側へ凹ませた導水部としての凹部２０が形成されている。
【００３８】
凹部２０は、蓋体１４の中心線ＣＬより右側にのみ形成されており、各辺の半分よりやや短い長さとされている。また、凹部２０の凹み量は、図５に示すように、排水蓋１０を排水枡１０６へ載置した際に、蓋体１４と排水枡１０６の開口縁部１０６Ａとの間に指が入らない程度に設定されている。
【００３９】
なお、凹部２０は、蓋体１４の中心線ＣＬより右側に形成されていれば、中心線ＣＬから辺の端部まで連続して凹んでいなくてもよく、断続的に複数の凹部２０が形成されていてもよい。また、中心線ＣＬを越えて凹部２０を形成しても、凹部２０へ流入した排水の主流の中心が排水枡１０６の中心部より右側を流れれば旋回流が発生する。
【００４０】
また、本実施形態では、蓋体１４は矩形状であったが、他の形状でもよい。例えば、蓋体１４が三角形の場合、蓋体１４の各辺の中心部より右側を内側に凹ませて凹部２０を形成し、凹部２０へ流入した排水の主流の中心が排水枡１０６の中心部より右側を流れるようにすることで、旋回流が発生する。
【００４１】
次に、本実施形態に係る排水蓋１０の作用について説明する。
【００４２】
図５に示すように、蓋体１４の４辺を凹ませて形成された凹部２０と排水枡１０６の開口縁部１０６Ａとの間に隙間２８が形成されている。また、凹部２０を除いた蓋体１４の外形は、蓋体１４の外周部と排水枡１０６の開口縁部１０６Ａとの間に補助導水口としての隙間３０が生じる大きさに形成されている。なお、排水が隙間２８から流入する流入面積は、隙間３０から流入する流入面積よりも大きくなるように凹部２０が形成されている。
【００４３】
ここで、浴槽１０４（図１参照）、又は図示しないシャワーから洗い場１０２へ排水が流されると、排水は床１０２Ａを流れて排水枡１０６の開口縁部１０６Ａへ到達し、隙間２８及び隙間３０から排水枡１０６内に流入する。
【００４４】
このとき、排水枡１０６内の空気は、排水が排水枡１０６内へ流入するのと同時に、排水蓋１０の裏面１４Ｄに沿って隙間２８及び隙間３０から排水枡１０６の外へ図４の矢印の方向へ排出される。ここで、蓋体補強リブ２４は十字形状に形成されているので、空気が蓋体補強リブ２４に遮られて蓋体１４の裏面１４Ｄに滞留することがない。このため、排水の流入によって排水蓋１０が浮き上がることもない。
【００４５】
図５に示すように、隙間２８から排水枡１０６内に流入した排水の主流の中心は、蓋体１４の中心線に対して右側に導水され、矢印Ａの方向に流れる。また、排水枡１０６の底部は傾斜面となっているので、排水は排水枡１０６の中心部の周りに左旋回する。
【００４６】
同様にして４辺の隙間２８から排水枡１０６へ流入した排水の主流の中心が矢印Ａの方向へ流れることで、排水枡１０６の中心部の周りに左旋回する旋回流Ｃが発生する。旋回流Ｃは、ヘアキャッチャー１１０上を左旋回しながら通水孔１１６を通って排水口１０８へ排水される。
【００４７】
また、隙間３０から排水枡１０６内に導水された排水は、矢印Ｂの方向に流れるが、隙間２８から流入した排水より排水量が少ないため、矢印Ａの方向に流れる主流に合流して旋回流Ｃとなる。ここで、排水に混じっている毛髪等は、旋回流Ｃによって排水枡１０６の中心部の周りに左旋回しながらヘアキャッチャー１１０上にまとまって捕集される。
【００４８】
次に、多量の排水が排水枡１０６へ流入したとき、蓋体１４の裏面１４Ｄ及び蓋体１４の上面には、排水の一部が残水として付着する。この残水のうち、蓋体１４の上面に付着した残水は、領域１４Ａ、１４Ｂ又は１４Ｃの下り傾斜面を伝って、或いは溝１８Ａ、１８Ｂを流れて蓋体１４の外周部へ到達する（図３参照）。
【００４９】
蓋体１４の外周部へ到達した残水の一部は、図６に示すように、表面張力によって蓋体１４の裏面１４Ｄへ回り込む。また、一部の残水は、蓋体１４の外周部で水滴となって排水枡１０６の底部へ滴下し、ヘアキャッチャー１１０の通水孔１１６から排水される。
【００５０】
蓋体１４の上面から裏面１４Ｄへ回り込んだ残水は、排水が排水枡１０６へ流入したときに蓋体１４の裏面１４Ｄに付着した残水と共に、表面張力によって蓋体１４の裏面１４Ｄの傾斜面を流れて稜線２６へ集められ、稜線２６を矢印Ｄの方向に伝って蓋体補強リブ２４へ到達する。ここで、蓋体１４の裏面１４Ｄと蓋体補強リブ２４との接合部は滑らかに湾曲しているので、残水は蓋体補強リブ２４の外周面を伝って蓋体補強リブ２４の中心部２４Ａに集められる。
【００５１】
図７に示すように、蓋体補強リブ２４の中心部へ集められた残水は、蓋体補強リブ２４を伝って蓋体の各辺の中心部へ向かって流れ、補助脚部２２へ到達する。その後、補助脚部２２を伝って排水枡１０６の底部へと流れ、ヘアキャッチャー１１０の通水孔１１６から排水される。
【００５２】
なお、本実施形態では、蓋体補強リブ２４は十字形状であったが、蓋体１４が撓みにくく、空気が滞留しない形状であれば、特に制限しない。例えば、蓋体１４の中心部から各辺の中心部及び四隅へ８方向に延びていてもよい。この場合、蓋体１４の対角線上に蓋体補強リブ２４を形成するので、稜線２６が形成できなくなる。このため、裏面１４Ｄの傾斜角度を調整し、裏面１４Ｄに付着した排水が確実に中心部へ流れるようにする。
【００５３】
また、本実施形態では、蓋体１４の裏面１４Ｄの角部に４つの脚部１２が形成されていたが、補助脚部２２だけで耐荷重性が問題なければ脚部１２は形成されていなくてもよい。この場合、排水枡１０６の底部と接しているのは補助脚部２２だけなので、排水枡１０６へ流入する排水の流れを阻害しにくくなる。
【００５４】
以上、本発明の実施形態について説明したが、本発明はこうした実施形態に限定されるものでなく、本発明の要旨を逸脱しない範囲において、種々なる態様で実施し得ることは勿論である。例えば、蓋体補強リブ２４の中心部２４Ａをヘアキャッチャー１１０の上面近傍まで突出させて、蓋体補強リブ２４から直接ヘアキャッチャー１１０へ残水を流してもよい。
【符号の説明】
【００５５】
１０        排水蓋
１２        脚部
１４        蓋体
１４Ｄ      裏面（傾斜面）
２４        蓋体補強リブ（リブ）
２６        稜線
２０        凹部（導水部）
１０２Ａ    床
１０６      排水枡
【図１】
0005865001.tif 000002
【図２】
0005865001.tif 000003
【図３】
0005865001.tif 000004
【図４】
0005865001.tif 000005
【図５】
0005865001.tif 000006
【図６】
0005865001.tif 000007
【図７】
0005865001.tif 000008